(57)【特許請求の範囲】
【請求項１】
少なくとも情報機器からの表示データおよびテレビジョン受信信号の何れかを表示画面上に表示可能とすると共に、録画時に該テレビジョン受信信号を情報機器側にデータ送信する表示装置において、
該情報機器との間でデータ通信を行う第１データ通信手段と、該情報機器側での録画予約情報の設定を、該第１データ通信手段を介して検出した場合には、画面表示部への電源供給および録画関係ユニット部への電源供給のうち該録画関係ユニット部への電源供給を続行する電源供給管理手段とを備えた表示装置。
【請求項２】
前記電源供給管理手段は、画面表示関係ユニット部の電源供給と録画関係ユニット部の電源供給をそれぞれ独立して行う電源供給手段に対して電源モードを切替える電源モード切替手段と、電源オフの操作指示を検出したときに該電源モード切替手段に対して、該録画関係ユニット部への電源供給のみの電源モードに切替える電源モード切替制御手段とを有した請求項１記載の表示装置。
【請求項３】
前記電源モード切替制御手段は、前記情報機器側が予約録画を終了したときに、これを検出して、他に録画予約情報がない場合に、前記録画関係ユニット部への電源モードを遮断する請求項２記載の表示装置。
【請求項４】
前記電源オフの操作指示を検出したときに、電源供給状態の情報を表示画面上に表示する情報表示制御手段を有する請求項１〜３の何れかに記載の表示装置。
【請求項５】
前記電源供給管理手段は、前記情報機器側の録画予約情報を受信した場合に、前記録画関係ユニット部への電源供給のみに切替える請求項１記載の表示装置。
【発明の詳細な説明】
【０００１】
【発明の属する技術分野】
本発明は、画像データを取り込んで記録可能であるパーソナルコンピュータ（以下ＰＣという）などの情報機器と接続し、この情報機器からの画像データを画面表示可能とし、また、テレビジョン（以下ＴＶという）画像も表示可能とする液晶ディスプレイモニタなどの表示装置および、これを用いた録画再生システムに関する。
【０００２】
【従来の技術】
従来、ＰＣなどの情報機器において、画像エンコーダを内蔵し、動画データを含む画像データをデジタル化して取り込み、それを再生することができるものが増えてきている。画像のコンポジット信号を情報機器に入力するだけではなく、ＴＶチューナを内蔵し、ＴＶの画像信号を得ることができるものもある。
【０００３】
また、情報機器本体とは別に、ＴＶチューナおよび画像エンコーダを備え、デジタイズ済みの信号をＵＳＢなどのインターフェイス（Ｉ／Ｆ）から送信するＴＶ受信装置もある。このＴＶ受信装置は、ＴＶチューナ、画像エンコーダを備えていない記憶装置に接続し、記憶装置から画像データを取り込んで、それを再生するものである。
【０００４】
通常、ＰＣなどの情報機器は、表示信号を出力するのみで、実際に画像表示をするためには、表示装置に接続する必要がある。一方、表示装置は、情報機器からの表示信号を表示する機能以外に、ＴＶチューナを内蔵し、ＴＶ画面を表示する機能を併せ持つものがある。この場合、情報機器側の動作とは別に、表示装置のＴＶ画面の表示ができるようになっている。
【０００５】
画像の録画には、大容量の記憶デバイスが必要である。表示装置には、通常、大容量の記憶デバイスは内蔵されていないため、情報機器側のハードディスク装置（以下ＨＤＤという）などに記憶するのが一般的である。情報機器側で録画データを録画するには、当然、情報機器側の電源をオンして、動作状態にしておく必要がある。
【０００６】
録画処理には、ある時刻になったときに録画を行うことを指定する録画予約という機能がある。この場合、ＰＣなどの情報機器側はスタンバイ状態にしておき、タイマを起動して録画開始時刻に録画を実行させることになる。このように、ＰＣ側では、録画予約中に使用しない場合に、スタンバイ状態に設定しておくのが一般的である。また、スタンバイ状態ではなく、タイマ部以外の電源を完全に切っても指定開始時刻に起動できるものもあるが、これは特殊なハードウエアを備えたものであり、一般的ではない。
【０００７】
一方、表示装置では、通常、モニタとして使用しているときは、画面表示関係ユニットと、ＴＶチューナを含む録画関係ユニットとの両方に電源を供給している。これはモニタがＰＣ画面、ＴＶ画面を瞬時に切替えられるようにするためである。表示装置には、電源のオン／オフを指示する電源スイッチがあるが、通常、電源スイッチによるオン／オフでは表示装置全ての電源をオン／オフにしている。
【０００８】
【発明が解決しようとする課題】
しかしながら、上記従来の表示装置では、ＰＣ側に録画予約が設定されていて、ＰＣがスタンバイ状態になっている場合に、表示装置の電源を一旦オフすると、録画開始時までに電源をオンしなければ、録画することができない。また、ＰＣに録画予約を設定した場合に、表示装置の電源をオフせずに電源をオン状態のままにすると、予約待機しているときの消費電力が大きくなってしまう。
【０００９】
本発明は、上記従来の事情に鑑みて為されたもので、録画予約時に予約待機しているときの消費電力を軽減すると共に、予約設定した録画を確実に実行することができる表示装置および、これを用いた録画再生システムを提供することを目的とする。
【００１０】
【課題を解決するための手段】
本発明の表示装置は、少なくとも情報機器からの表示データおよびテレビジョン受信信号の何れかを表示画面上に表示可能とすると共に、録画時に該テレビジョン受信信号を情報機器側にデータ送信する表示装置において、該情報機器との間でデータ通信を行う第１データ通信手段と、該情報機器側での録画予約情報の設定を、該第１データ通信手段を介して検出した場合には、画面表示部への電源供給および録画関係ユニット部への電源供給のうち該録画関係ユニット部への電源供給を続行する電源供給管理手段とを備え、そのことにより上記目的が達成される。
【００１１】
この構成により、例えば画面表示関係ユニット部と録画関係ユニット部とに対して別々に電源スイッチを設け、録画開始時刻までに、録画関係ユニット部用の電源スイッチのみをオンする操作は、ユーザにとってわずらわしいものである。このため、情報機器側での録画予約情報の設定を検出した場合に、録画関係ユニット部への電源供給を行うか続行すれば、予約待機しているときの表示装置の消費電力は、画面表示関係ユニット部に供給する電力を削減した分だけ軽減されると共に、予約設定した録画を確実に実行することが可能となる。
【００１２】
また、好ましくは、本発明の表示装置における電源供給管理手段は、画面表示関係ユニット部の電源供給と録画関係ユニット部の電源供給をそれぞれ独立して行う電源供給手段に対して電源モードを切替える電源モード切替手段と、電源オフの操作指示を検出したときに該電源モード切替手段に対して、録画関係ユニット部への電源供給のみの電源モードに切替える電源モード切替制御手段とを有する。
【００１３】
この構成により、画面表示関係ユニット部の電源供給と、録画関係ユニット部への電源供給を独立して管理することが可能であり、電源オフ操作を指示したときに、画面表示関係ユニット部の電源モードは遮断し、録画関係ユニット部のみの電源モードに切替えるので、録画予約時に予約待機しているときの消費電力を軽減すると共に、予約設定した録画を確実に実行することが可能となる。
【００１４】
さらに、好ましくは、本発明の表示装置における電源モード切替制御手段は、情報機器側が予約録画を終了したときに、これを検出して、他に録画予約情報がない場合に、録画関係ユニット部への電源モードを遮断する。
【００１５】
この構成により、予約録画が終了した場合には、録画関係ユニット部に電源を供給したままでは、電力が無駄に消費されるので、録画関係ユニット部への電力供給も遮断する。
【００１６】
さらに、好ましくは、本発明の表示装置において、電源オフの操作指示を検出したときに、電源供給状態の情報を表示画面上に表示する情報表示制御手段を有する。
【００１７】
この構成により、録画予約のあるときは、電源オフ操作を指示しても、部分的に電源を供給しているが、これをユーザに知らせないと、誤ってＡＣ商用電力供給用のコンセントを抜いてしまうことが考えられる。これを、表示画面上の電源供給状態の情報表示により防止する。
【００１８】
さらに、好ましくは、本発明の表示装置における電源供給管理手段は、情報機器側の録画予約情報を受信した場合に、録画関係ユニット部への電源供給のみに切替える。これはデータ通信手段によって録画予約情報を受信した場合の電源切替動作であるが、データ通信手段を介して録画予約情報を受信した後に、これを情報記憶手段に記憶し、情報記憶手段内に録画予約情報が存在するかどうかで電源切替動作を行う場合を次に示す。即ち、好ましくは、本発明の表示装置において、情報機器側で設定されデータ通信で得られた録画予約情報を記憶する情報記憶手段を有し、電源供給管理手段は、この情報記憶手段に記憶された録画予約情報が存在する場合に、録画関係ユニット部への電源供給のみに切替える。または、電源供給管理手段は、この情報記憶手段に記憶された録画予約情報が存在する場合に、録画関係ユニット部への電源供給を行ったり続行したりする。
【００１９】
この構成により、情報機器側で録画予約を行った際に、画面表示の電源を即座に切断し、低消費電力状態へと移行できるように選択可能であると、使い勝手が便利である。
【００２２】
【発明の実施の形態】
以下、本発明の実施形態の録画再生システムついて図面を参照しながら説明する。
【００２３】
図１は、本発明の一実施形態における録画再生システムの外観構成を示す斜視図であり、図２は図１のコンピュータ表示端末装置の断面図である。図１および図２において、録画再生システム１０は、情報機器としてのコンピュータ本体２０と、コンピュータ表示端末装置としてのモニタ装置３０と、コンピュータ本体２０とモニタ装置３０間に接続されたデータ通信用のコンピュータ信号ケーブル４０とを有している。
【００２４】
コンピュータ本体２０は、一つの独立した筐体で構成され、独立した電源装置（図示せず）によって駆動するパーソナルコンピュータ（以下ＰＣという）で構成されており、予め種々のデータ処理、インターネット、電子メール、画像編集などのアプリケーションプログラムが記憶されており、これに加えて、詳細に後述する本発明の録画処理プログラムおよび録画再生処理プログラムがインストールされているものである。
【００２５】
モニタ装置３０は、一つの独立した筐体で構成され、コンピュータ本体２０とは独立した電源装置（図示せず）によって駆動されるものであり、表示手段としての液晶表示パネル３１と、モニタ制御装置３２と、入力操作手段としての入力装置３５とを有している。
【００２６】
液晶表示パネル３１は、図３にて後述するバックライトユニット３１１とＴＦＴ液晶表示ユニット（図示せず）を持つ画像表示部が、チルトヒンジ機構３６によりスタンド３７に対して上下に回動自在に軸支されることにより、その視認角度の操作性の向上を図っている。
【００２７】
モニタ制御装置３２は録画制御用、録画再生制御用、ＴＶ視聴制御用さらには電源供給管理用の制御ボードユニットが内蔵されている。
【００２８】
入力装置３５は、各種操作指令を入力可能とするリモコン（図示せず）、操作パネル３３およびマウス３４などで構成され、ＴＶ受信局を選局するＴＶのチャンネル変更指示や、ＴＶ表示とＰＣ信号表示の表示切替指示などの機能を有している。
【００２９】
操作パネル３３には、ＴＶ受信機の選局ボタン、音量ボタン、ＡＶ周辺機器の選択ボタン、表示環境設定ボタンおよび、図示しないリモコン受信器などが設けられている。
【００３０】
コンピュータ信号ケーブル４０は、Ｄ−ＳＵＢコネクタ間を接続するアナログＲＧＢの表示データ信号ケーブルと、オーデイオコネクタ間を接続するオーデイオ信号ケーブルと、ＵＳＢ（Universal Serial Bus；ユニバーサルシリアルバス）ポートとＵＳＢＵハブ間を接続するＵＳＢケーブルとを有している。
【００３１】
図３は、図１の録画再生システムの要部ハード構成を示すブロック図である。図３において、コンピュータ本体２０のＵＳＢインターフェイス（Ｉ／Ｆ）２１とモニタ制御装置３２のＵＳＢインターフェイス（Ｉ／Ｆ）３２０との間でデータ通信可能に構成されており、例えば録画用の圧縮データがモニタ制御装置３２からコンピュータ本体２０に送信される。また、コンピュータ本体２０の表示ＲＧＢインターフェイス（Ｉ／Ｆ）２２はモニタ制御装置３２のＡ／Ｄ変換装置３２１に接続され、録画データを解凍して得た表示データがＡ／Ｄ変換装置３２１側に送信される。
【００３２】
コンピュータ本体２０は、詳細には図示していないが、ＣＰＵモジュールと、表示コントローラと、ＶＲＡＭと、通信用のモデム装置と、ＰＣＩ（Peripheral Component Interconnect）インターフェイスと、Ｉ／Ｏコントローラと、録画情報を記憶可能とする情報記憶手段（可読記録媒体）としてのＨＤＤ２３と、ＢＩＯＳ−ＲＯＭと、キーコントローラと、音声情報をオーデイオ出力端子より出力してモニタ装置３０にて音声再生するためのオーディオコントローラとを有している。
【００３３】
ＣＰＵモジュールは、このシステム全体の動作制御およびデータ処理を実行するコンピュータ制御手段である。
【００３４】
ＨＤＤ２３は、このシステムの主記憶部として使用されるものであり、後述する各プロセスにおける、ＨＤＤ２３やＵＳＢＩ／Ｆ２１，３２０経由のＭＰＥＧ２エンコーダ３２７などのデバイスヘのアクセスを管理するオペレーティングシステム（ＯＳ）２４、処理対象のアプリケーションプログラムおよび、このアプリケーションプログラムによって作成されたユーザデータなどが格納されるようになっている。このアプリケーションプログラムの一つとして、本発明を実現するための録画処理プログラムおよび録画再生処理プログラムが、主メモリ（ＨＤＤ２３）にインストールされる。また、この録画処理プログラムには、録画設定情報の設定および送信をする録画予約処理（録画設定処理）などを実行する録画管理プロセス２５が含まれている。録画管理プロセス２５は、録画予約した録画情報、例えば録画開始日および時刻、録画終了日および時刻、チャンネル情報、圧縮レートに対応した録画密度情報、管理情報などを記憶する録画情報テーブルを有している。また、録画管理プロセス２５には、録画予約に際して、インターネットによって配信される番組内容を含む番組情報の利用により設定可能になっており、この番組情報と管理情報との関連付けも記憶されている。主メモリ（ＨＤＤ２３）内の録画再生処理プログラムとＣＰＵモジュールにより、圧縮データを元に戻す解凍手段が構成されている。なお、ハードウエアで構成される解凍手段としてのＭＰＥＧ２デコーダコントローラを周辺デバイスとして組み込む方法もあるが、ここでは必ずしもハードウエアのＭＰＥＧ２デコーダコントローラを必要としない。
【００３５】
この録画処理プログラムは、ＧＵＩ（Graphical  User  Interface；グラフィカル・ユーザ・インターフェイス）を利用して受信局の選局、録画および録画予約の操作指令を検出するステップ（操作指令検出手段）と、この検出した操作指令に基づいて、ＵＳＢを介してモニタ装置３０にコマンド送信（録画設定情報送信）するステップ（第２データ通信手段）と、モニタ装置３０からＵＳＢを介して入力される、ＭＰＥＧ２フォーマットで圧縮された映像情報を、順次、ＨＤＤ２３に記憶させるステップ（記憶制御手段）とを有している。
【００３６】
また、録画再生処理プログラムは、ＧＵＩを利用して録画再生の操作指令を検出するステップ（操作指令検出手段）と、この操作指令に基づいて、ＨＤＤ２３に記憶した圧縮データの映像情報を上記ＭＰＥＧ２デコーダプロセス２６によって元のデータに解凍するステップ（解凍手段）と、解凍した表示データを元の表示データとしてモニタ装置３０側に送信出力すると共に、音声データもオーデイオ出力端子より送信出力するステップ（第２データ通信手段）とを有している。なお、ＰＣから出力される表示データとしては、通常のワープロ、表計算、図形処理の表示データを出力することは当然のこととして、これらのデータと映像再生した映像データと合成（ピクチャ・イン・ピクチャ）して出力できることは当然のことである。
【００３７】
表示コントローラは、ＶＲＡＭに描画されたデータをアナログＲＧＢの表示データとして出力してモニタ装置３０側に表示させるための表示制御処理を行うものである。
【００３８】
ＰＣＩインターフェイスには、ＨＤＤ２３、ＣＤ−ＲＯＭドライブ，ＦＤＤドライブなどの制御部と、ＵＳＢスロットに接続されるＵＳＢデバイスコントローラなどが含まれている。
【００３９】
Ｉ／Ｏコントローラは、各種Ｉ／Ｏデバイスを制御するためのものである。
【００４０】
次に、モニタ制御装置３２は、表示ＲＧＢＩ／Ｆ（Ｉ／Ｆはインターフェイス）から表示データが入力されるＡ／Ｄ変換装置３２１と、グラフィックコントローラ３２２と、ＬＣＤドライバ３２３と、バックライトユニット３１１用のインバータ３２４と、ＴＶ受信手段としてのＴＶチューナ３２５と、ビデオデコーダ３２６と、画像圧縮手段としてのＭＰＥＧ（Mortion  Picture  Expert  Group；エムペグ）２エンコーダ３２７と、ＵＳＢＩ／Ｆ３２０と、電源供給手段としての電源制御装置３２８と、電源状態変更指示装置３２９と、各部を制御する制御手段３３０と、制御手段３３０が各部を制御する際に用いるデータを格納した情報記憶手段としてのメモリ３３１とを有している。
【００４１】
ＵＳＢＩ／Ｆ３２０は、情報機器としてのＰＣに対して、ＭＰＥＧ２エンコーダ３２７からの圧縮データを送出し、また、ＰＣ側からキャプチャーサイズ、ビットレートなどの指定を行うことができるものである。
【００４２】
Ａ／Ｄ変換装置３２１は、ＰＣからの表示データであるアナログＲＧＢ信号をデジタルＲＧＢ信号に変換するものである。
【００４３】
グラフィックコントローラ３２２は、入力デジタル画像信号を、液晶表示パネル３１の表示画素数に合わせて表示できるように変換するものであり、色空間変換機能、ＩＰ（Interlace to Progressive）変換、スケーリング機能、ＦＲＣ（FrameRateConversion）機能、γ補正機能、色補正機能および同期検出機能を有し、デジタルＲＧＢ信号、デジタルＹＵＶビデオ信号から生成した表示データを１６ビットの表示データバス３２２ａに出力するものである。
【００４４】
ＬＣＤドライバ３２３は、グラフィックコントローラ３２２の出力表示データを入力し、液晶表示パネル３１の画像表示を制御する駆動回路である。
【００４５】
インバータ３２４は、バックライトユニット３１１に対して点灯制御を行うものである。
【００４６】
ＴＶチューナ３２５は、コンピュータ本体２０（ＰＣ）からのＴＶ受信局の選局情報、またはリモコンなどの選局操作手段（入力装置３５）からの選局情報に応答したチャンネル設定情報を基に、後述する制御手段３３０によりＩＩＣバス３３０ａを介して受信局の選局制御が実行されるものである。また、ＴＶチューナ３２５は、アンテナ端子に接続され、選局制御によってアンテナ端子からの所望のＴＶ信号が選局されて受信され、このＴＶ受信信号よりＮＴＳＣ画像信号を検波出力して信号ライン３２５ａを介してビデオデコーダ３２６に供給するものである。また、ＴＶチューナ３２５は、ＴＶ受信信号より音声周波数信号が分離出力され、その音声周波数信号を、後述する音声処理回路（図示せず）に供給するものである。
【００４７】
ビデオデコーダ３２６は、ＴＶチューナ３２５から供給されるＮＴＳＣ画像信号および、図示していないが、外部ビデオ機器を接続したビデオ入力端子からのビデオ信号の何れかを選択し、信号ライン３２６ａにＹＵＶデジタルビデオ信号を出力するものである。また、ビデオデコーダ３２６には、フィルタ回路、同期分離回路、ＹＣ分離回路、Ａ／Ｄコンバ―タ回路、色情報調整回路、ＡＧＣ回路、カラーデコーダ回路、水平垂直同期化回路および所望の画像サイズ決定のスケーリング回路などを有している。なお、ビデオデコーダ３２６は、ＭＰＥＧ２エンコーダ３２７とグラフィックコントローラ３２２との調停処理によって、信号ライン３２６ａ，３２６ｂに出力するＹＵＶデジタルビデオ信号を各々独立して出力制御でき、さらに各々独立して画像サイズのスケーリング処理が行えるようになっている。
【００４８】
ＭＰＥＧ２エンコーダ３２７は、入力されたＮＴＳＣ画像信号を既知のＭＰＥＧ２形式にてデータ圧縮を行うと共に、デジタル化された音声信号も同様にデータ圧縮を行うものである。
【００４９】
電源制御装置３２８は、画面表示関係ユニット部の電源供給と、後述する録画関係ユニット部の電源供給との２系統（２電源モード）に対してそれぞれ独立に電源供給／電源遮断制御をするものである。
【００５０】
電源状態変更指示装置３２９は例えば電源ボタンなどで構成されており、電源のオン／オフ操作を変更指示するものである。この電源ボタンは、モニタ装置３０への電源を完全に切断する他に、後述する制御手段３３０およびメモリ３３１内の制御プログラムと協働して、入力装置３５、さらにＴＶチューナ３２５、ＭＰＥＧ２エンコーダ３２７、通信Ｉ／Ｆ（ＵＳＢＩ／Ｆ３２０）など、録画データを取得するのに必要な録画関係ユニット部のみを動作させる指示、モニタ装置３０の電源を全遮断する指示、これらの電源状態から通常の電源状態（表示関係ユニット部および録画関係ユニット部がオン）に復帰する指示などを行うソフトウエアによる電源オン／オフのスイッチ機能を備えるものである。
【００５１】
制御手段３３０は、ＣＰＵ（中央演算処理装置）で構成され、全体制御手段として、メモリ３３１内の制御プログラムに基づいて、ＩＩＣバス３３０ａを介して、Ａ／Ｄ変換装置３２１に対してＲＧＢカラー調整などを行い、ＬＣＤドライバ３２３に対して駆動制御し、インバータ３２４に対してバックライトユニット３１１の輝度の調整を行い、ＴＶチューナ３２５に対して選局動作を行い、ビデオデコーダ３２６に対してカラー調整などの各種制御を行い、また、１６ビットデータバス３３０ｂを介して、グラフィックコントローラ３２２に対して解像度その他の各種調整を行い、入力装置３５からのＴＶ表示とＰＣ信号表示との切替指示、ＴＶのチャンネル変更指示およびその他の操作指示を読み取りその指示に応じて各部を制御し、ＭＰＥＧ２エンコーダ３２７に対してエンコードを指示する駆動制御を行い、メモリ３３１に対してデータの読み取りおよび書き込みを行うように全体制御が為される。
【００５２】
特に、制御手段３３０は、制御プログラムに基づいて、ＰＣからのＴＶ受信局の選局情報に応答して受信局を決定し、ＴＶチューナ３２５に対して選局設定を行う選局制御手段３３０Ａと、ＰＣとの間でのデータ通信、例えばＰＣから録画予約情報などを受信するデータ通信手段３３０Ｂ（第１データ通信手段）と、ＰＣ側で設定された録画予約情報を受信したときに、画面表示関係ユニット部への電源供給および録画関係ユニット部への電源供給のうち少なくとも録画関係ユニット部への電源供給を行ったり続行したりする電源供給管理手段３３０Ｃと、電源ボタンをオフ操作したときに、これを検出して、電源供給状態の情報を表示画面上に重ね合わせて表示する情報表示制御手段３３０Ｄとを備えている。
【００５３】
この場合、録画関係ユニット部とは、録画に関係するＴＶチューナ３２５、ビデオデコーダ３２６、ＭＰＥＧ２エンコーダ３２７、通信Ｉ／ＦとしてＵＳＢＩ／Ｆ３２０の他、電源制御装置３２８、電源状態変更指示装置３２９、制御手段３３０およびメモリ３３１、入力装置３５を含むものである。また、情報表示関係ユニット部は、特にバックライト、インバータ、ＬＣＤドライバ、グラフィックコントローラおよびＡ／Ｄ変換装置などの他、電源制御装置３２８、電源状態変更指示装置３２９、制御手段３３０およびメモリ３３１、入力装置３５を含むものである。なお、制御手段３３０、メモリ３３１、通信Ｉ／Ｆ（ＵＳＢＩ／Ｆ３２０）、入力装置３５、電源制御装置３２８、電源状態変更指示装置３２９は、モニタ装置３０の全電源オフ時以外は常時電源供給されているものとする。
【００５４】
電源供給管理手段３３０Ｃは、電源制御装置３２８に対して電源モードを切替える電源モード切替手段と、電源ボタンをオフ操作指示したときに電源モード切替手段に対して、録画関係ユニット部のみの電源モードに切替える電源モード切替制御手段とを有している。この電源モード切替制御手段は、ＰＣ側が予約録画を終了したときに、これを検出して、他に録画予約（録画予約情報）がなければ、録画関係ユニット部の電源モードをも遮断するように制御するものである。
【００５５】
情報表示制御手段３３０Ｄは、例えばメッセージを生成するＯＳＤ機能を有するメッセージ表示手段などで構成され、電源供給状態の情報が、ＯＳＤ表示プロセスで取り込まれ、文字情報などの表示情報に展開されて液晶表示パネル３１の表示画面上に重ね合わせて表示されるようになっている。
【００５６】
メモリ３３１には、制御手段３３０が動作するための制御プログラムおよび各種データが格納されている。制御プログラムは、ＴＶチューナ３２５の選局などを行うチューナ管理プロセス（図示せず）、各部や各装置への電源供給／停止の管理を行う電源管理プロセス、ＴＶ表示とＰＣ信号表示の切替えを行う画面表示切替えプロセス、メッセージを液晶表示パネル３１に表示するＯＳＤ表示プロセス、ＰＣの動作状態を読み取る情報機器状態読み取りプロセス、録画管理情報をＰＣから受信し、編集、保持および送信処理を行う録画管理情報処理プロセスなどを有している。
【００５７】
なお、音声再生処理については、音声処理回路が、音声入力端子からの音声信号をＤ／Ａ変換した後のアナログ音声信号を音声コントローラに出力し、音声コントローラは、音質・音量調整、サラウンド制御等を行った後のアナログ音声信号を増幅回路に出力し、その増幅したアナログ音声信号をスピーカに出力するものである。また、音声処理回路は、ＴＶチューナ３２５に接続されており、上記構成に加えて、ＴＶチューナ３２５から供給された音声周波数信号をＡ／Ｄ変換してさらに復調し、そのデジタル化された音声信号はＭＰＥＧ２エンコーダ３２７に供給され、Ａ／Ｄ変換された音声信号はＤ／Ａ変換されて音声コントローラに供給されるようになっている。なお、音声処理回路は、ＭＰＥＧ２エンコーダ３２７とグラフィックコントローラ３２２との調停処理によって、音声入力端子からの音声信号と、ＴＶチューナ３２５からの音声信号とのそれぞれに対してＭＰＥＧ２エンコーダ３２７への出力と音声コントローラへの出力とを選択的なスイッチングを行って両信号の同時処理を可能に構成している。
【００５８】
上記構成により、以下、その動作を説明する。
【００５９】
ＴＶ受信時には、ＴＶチューナ３２５は、チャンネル設定信号に基づいて、所望の受信チャンネルのＴＶ信号が選択され、ビデオデコーダ３２６にてＮＴＳＣ画像信号よりデジタル画像信号に変換され、さらにグラフィックコントローラ３２２にて表示データに変換されて液晶表示パネル３１の表示画面上に表示される。
【００６０】
次に、録画に際しては、ＰＣにおけるＴＶ録画処理プログラムの起動に基づいて、ＴＶチューナ３２５が所望の受信チャンネルに選局され、ビデオデコーダ３２６を介し、ＭＰＥＧ２エンコーダ３２７にて、デジタル画像信号がデータ圧縮され、圧縮データがＵＳＢＩ／Ｆ３２０よりＰＣ側に送出される。
【００６１】
さらに、ＰＣ側においては、ＵＳＢＩ／Ｆ２１を経由して入力された圧縮データは、所望の属性情報と共にＰＣ内のＨＤＤ２３に順次記憶される。
【００６２】
次に、録画再生時には、ＰＣにおけるＴＶ録画再生処理プログラムの起動に基づいて、ＰＣ内のＭＰＥＧ２デコードプログラム（またはＭＰＥＧ２デコーダ回路）により、ＨＤＤ２３内に記憶されている圧縮データが順次呼び出されて解凍処理され、さらにＭＰＥＧ１デコードプログラムまたはＭＰＥＧ１デコーダ回路により音声データも解凍処理される。なお、音声データの解凍処理はこれに限らず、ＰＣ内のＭＰＥＧ２デコードプログラムまたはＭＰＥＧ２デコーダ回路によっても音声データの解凍処理は可能である。本実施形態では、音質を高めるためにＭＰＥＧ１デコードプログラムまたはＭＰＥＧ１デコーダ回路を用いている。
【００６３】
解凍されたアナログＲＧＢの表示データは、表示ＲＧＢＩ／Ｆ２２からモニタ装置３０側のＡ／Ｄ変換装置３２１、グラフィックコントローラ３２２を経由して液晶表示パネル３１の表示画面上に映出される。また同様に、音声データは、モニタ装置３０側の音声入力端子（図示せず）に入力し、所定の回路を経由してスピーカより、表示画像と同期して音声再生出力が為される。
【００６４】
次に、録画予約をする場合には、ＰＣにおけるＴＶ録画処理プログラムに基づいて、録画設定情報、例えば録画開始・終了時刻、録画チャンネル、録画密度などを入力設定し、それが、ＰＣ内の録画管理プロセスにてＨＤＤ２３に保存されると共に、モニタ装置３０側に送信される。ＰＣ側のＨＤＤ２３に設定された録画予約の録画設定情報をモニタ装置３０側が受信したときに、これを検知して、画面表示関係ユニット部への電源供給および録画関係ユニット部への電源供給のうち録画関係ユニット部への電源供給を行ったり続行したりするように電源制御が為される。さらに、録画予約のあるときは、電源状態変更指示装置３２９（電源ボタン）に対してユーザが電源オフ操作を指示すると、画面表示関係ユニット部への電源供給は遮断されるが、録画関係ユニット部への電源供給は続行されており、これをユーザに知らせる。即ち、制御手段３３０は、オフ操作を検出して、電源供給状態の情報を表示画面上に重ね合わせてＯＳＤ表示する。
【００６５】
さらに、録画開始時刻になると、録画予約の録画設定情報に従ってモニタ装置３０とコンピュータ本体２０（ＰＣ）との調停により、制御手段３３０が、ＴＶチューナ３２５に対して録画チャンネルを選局制御したり、ＭＰＥＧ２エンコーダ３２７に対してＴＶ画像のエンコードを指示するなど、ＴＶチューナ３２５、ビデオデコーダ３２６、ＭＰＥＧ２エンコーダ３２７さらにはＵＳＢＩ／Ｆ３２０を起動させて録画処理を開始する。
【００６６】
さらに、録画終了時刻になって、ＰＣ側が予約録画を終了指示したときに、モニタ装置３０側の制御手段３３０が、この終了指示を検出して、録画関係ユニット部の電源モードをも電源遮断する。
【００６７】
ここで、録画再生システムについて更に具体的に説明する。
【００６８】
図４は、図１のモニタ装置３０の動作を詳細に示したフローチャートである。
【００６９】
図４に示すように、まず、モニタ装置３０が、電源状態変更指示装置３２９（電源ボタン）によるオン指示により起動したときに、電源供給が必要な各部や装置に対して電源供給する（ステップＳ２−１）。
【００７０】
次に、ＰＣモードまたはＴＶモードで画面表示し（ステップＳ２−２）、入力操作があったかどうかを判定する（ステップＳ２−３）。入力操作がない場合に、情報機器（ＰＣ）からの情報の着信を受け付ける（ステップＳ２−９）。
【００７１】
ステップＳ２−３で入力操作があった場合、録画予約情報を受信した場合のモニタ装置３０の電源状態を設定するメニュー表示が指示されると、メニュー表示が表示画面上にＯＳＤ表示が行われ（ステップＳ２−４）、このメニュー表示において、録画予約情報を受信した場合に、画面表示関係ユニット部への電源供給を即座にオフするかオフしないかを選択できる（ステップＳ２−４１）。このときの画面表示関係ユニット部への電源供給状態の選択表示画面の様子を図５に示している。
【００７２】
ステップＳ２−４１で「ソフト電源オフしない」が指示されると、この電源状態をメモリ３３１に設定して、ステップＳ２−３の入力操作の有無判定に戻る。ステップＳ２−４１で「ソフト電源オフする」が指示されると、録画予約情報の有無をチェックし（ステップＳ２−６）、以下のように動作する。
【００７３】
ステップＳ２−６で録画予約情報が無い場合は、表示画面関係ユニット部と録画ユニット部の両方の電源をオフし（ステップＳ２−７，Ｓ２−８）、ソフト電源オンを待機する状態（ステップＳ２−１９）に移行する。
【００７４】
また、ステップＳ２−６で録画予約情報がある場合は、「録画予約があります。録画ユニットを待機状態にして終了します」という警告文（または警告図柄）などをＯＳＤ表示する（ステップＳ２−１２）。このときのＯＳＤ警告時の表示画面の様子を図６に示している。
【００７５】
この後、画面表示関係ユニット部への電源供給のオフ指示を検知し（ステップＳ２−１３）、ソフト電源オンかどうかを判定し（ステップＳ２−１４）、ソフト電源がオンではないとき、コンピュータ本体２０（ＰＣ）からの情報着信（予約なし情報）を待機する状態に移行する（ステップＳ２−１５）。
【００７６】
一方、画面表示がなされている状態で、ＰＣからの情報着信があった場合、情報の種類別に以下のように動作する（ステップＳ２−９）。即ち、着信情報が録画予約情報かどうかを判定する（ステップＳ２−９１）。ステップＳ２−９１で着信情報が録画予約情報の場合、この予約情報をモニタ装置３０側のメモリ３３１に記憶更新する（ステップＳ２−１０）。ＰＣからの録画予約情報は、現在時刻以降で、最も近いものが送信される（ＰＣで常にそのように管理可能であるので、そうしている）。なお、録画予約情報の受信時に画面表示用の電源をオフする指定が為されている場合は、「録画予約があります。録画ユニットを待機状態にして終了します」という警告文などをＯＳＤで表示した後に、画面表示関係ユニット部への電源供給をオフし、ソフト電源オンまたは、ＰＣからの情報の着信を待機する状態に移行する（ステップＳ２−１１〜Ｓ２−１３）。
【００７７】
また、ステップＳ２−９１で着信情報が予約無し情報の場合は、ＰＣが予約録画を完了し、それ以後に予約の設定が無い状態であれば、モニタ装置３０のメモリ３３１の予約情報を消去し（ステップＳ２−２３）、通常の操作またはＰＣからの情報着信を受け付ける（ステップＳ２−３）。
【００７８】
次に、ソフト電源オンでＰＣからの情報着信を待機する状態（ステップＳ２−１４，Ｓ２−１５）になってからの動作を説明する。この状態では画面表示関係ユニット部への電源供給はオフされている。
【００７９】
この状態で、ソフト電源オンが入力操作された場合は、画面表示関係ユニット部への電源供給をオンし（ステップＳ２−２２）、その後、通常の操作またはＰＣからの情報着信を受け付ける状態に復帰する（ステップＳ２−３）。
【００８０】
ＰＣからの着信情報が録画予約なし情報かどうかを判定する（ステップＳ２−１５１）。ＰＣからの着信情報が録画予約情報の場合には、表示画面については既にオフされているが、この予約情報をモニタ装置３０のメモリ３３１に記憶更新する（ステップＳ２−１６）。
【００８１】
また、ＰＣからの着信情報が予約無し情報の場合には、モニタ装置３０のメモリ３３１の予約情報を消去する（ステップＳ２−１７）。さらに、録画関係ユニット部の電源をオフする（ステップＳ２−１８）。この状態で、モニタ装置３０の録画関係ユニット部と画面表示関係ユニット部との両方の電源がオフされる。この後に、ソフト電源がオンを待機する状態に移行する（ステップＳ２−１９）。
【００８２】
このソフト電源オンの待機状態は、画面表示関係ユニット部、録画関係ユニット部両方の電源がオフされている。ここでは、ソフト電源オン入力のみ有効である。
【００８３】
ソフト電源オンが操作指示された場合は、情報表示関係ユニット部への電源供給もオンして（ステップＳ２−２１）、通常の操作またはＰＣからの情報着信を受け付ける状態に復帰する（ステップＳ２−３）。
【００８４】
次に、情報機器としてのコンピュータ本体２０（ＰＣ）側の動作について、具体的に説明する。
【００８５】
図７は図１のＰＣの動作を詳細に示したフローチャートである。
【００８６】
図７に示すように、まず、電源をオンし、録画管理ソフトウエアを起動する（ステップＳ３−１）。このソフトウエアは、オペレータの操作を受け付け、新規録画予約さらには録画実行などを行うものである。ＰＣが電源オンして起動すると、操作入力またはタイマによるイベントを待つ（ステップＳ３−２）。さらに、このイベントが新規録画予約か録画開始イベントかを判定する（ステップＳ３−２１）。
【００８７】
ステップＳ３−２１でイベントが操作入力による新規録画予約の場合、この予約情報をＰＣ側のＨＤＤ２３に記憶する（ステップＳ３−３）。
【００８８】
さらに、ＰＣには時計が内蔵されており、予約情報のうち、現在から最も近いものを選び出すことができる。この録画予約情報をモニタ装置３０側に送信する（ステップＳ３−４）。
【００８９】
さらに、ＰＣでの予約は時計を用いて、指定の時刻に録画イベントを発生させるスケジュールの登録で実現されている（ステップＳ３−５）。
【００９０】
また、ステップＳ３−２１で録画イベントが開始すると、ＴＶチューナ３２５の選局設定、ＭＰＥＧ２エンコーダ３２７の各種設定を行い、ＨＤＤ２３にエンコードデータを記録して行き、録画を開始する（ステップＳ３−６）。
【００９１】
さらに、エラー発生かどうかを判定し（ステップＳ３−７）、エラー発生がなければ、録画終了時刻まで待つ（ステップＳ３−８）。録画終了時刻になると録画を終了し（ステップＳ３−９）、これに対応する録画予約情報を消去する（ステップＳ３−１０）。
【００９２】
一方、ステップＳ３−７でエラーが発生、即ち、録画中に中断の指示が為されたり、ＨＤＤ２３の残り記憶容量不足などの異常を検出すると、ＭＰＥＧ２録画を中断し（ステップＳ３−１３）、これに対応する録画予約情報を消去する（ステップＳ３−１４）。
【００９３】
この後、現在の時刻以降に予約が設定されているかどうかを調べる（ステップＳ３−１１）。録画予約が設定されていれば、録画予約情報のうち、現在から最も近いものを選び出し、この録画予約情報をモニタ装置３０に送信する（ステップＳ３−１５）。また、予約が設定されていなければ、録画予約消去情報をモニタ装置３０に送信する（ステップＳ３−１２）。
【００９４】
以上により、本実施形態によれば、制御手段３３０は、メモリ３３１内の制御プログラムに基づいて、電源制御装置３２８を介して、少なくとも録画終了時刻までは、ＴＶチューナ３２５、ＭＰＥＧ２エンコーダ３２７およびＵＳＢＩ／Ｆ３２０などからなる録画関係ユニット部への電源供給だけは、自動的に続行するように電源制御するため、予約待機しているときのモニタ装置３０の消費電力が、グラフィックコントローラ３２２、ＬＣＤドライバ３２３およびバックライト用のインバータ３２４などの画面表示関係ユニット部に供給する電力を削減した分だけ軽減することができると共に、録画関係ユニット部には常に電源供給していることから、予約設定した録画を確実に実行することができる。
【００９５】
なお、本実施形態では、本発明の説明を簡単にするため、録画予約のある場合は録画関係ユニット部の電源を切断しない前提で説明したが、これに限らず、通信Ｉ／Ｆと制御手段３３０およびメモリ３３１は常時動作させておき、ＰＣからの録画開始指示の着信を検出することができれば、予約待機時は，ＴＶチューナ３２５、ＭＰＥＧ２エンコーダ３２７の電源は切っておき、録画開始時に電源オンするように構成することもできる。
【００９６】
また、本実施形態では、電源供給管理手段３３０Ｃは、ＰＣ側の録画予約情報を受信したときに、これを検出して録画関係ユニット部への電源供給のみに切替える場合が選択可能であることを説明したが、これに限らず、電源供給管理手段３３０Ｃは、メモリ３３１に、ＰＣ側で設定された録画予約情報が記憶されている場合に、これを検出して、録画関係ユニット部への電源供給のみに切替えたり、録画関係ユニット部への電源供給を行ったり続行したりする場合もあってもよい。
【００９７】
【発明の効果】
以上のように、請求項１によれば、情報機器側での録画予約情報の設定を検出した場合に、録画関係ユニット部への電源供給を行うため、予約待機しているときの表示装置の消費電力を、画面表示関係ユニット部に供給する電力を削減した分だけ軽減することができると共に、予約設定した録画を確実に実行することができる。
【００９８】
さらに、請求項２によれば、画面表示関係ユニット部の電源供給と、録画関係ユニット部への電源供給を独立して管理することができ、電源オフ操作を指示したときに、画面表示関係ユニット部の電源モードを遮断し、録画関係ユニット部のみの電源モードに切替えるため、録画予約時に予約待機しているときの消費電力を軽減することができると共に、予約設定した録画を確実に実行することができる。
【００９９】
さらに、請求項３によれば、予約録画が終了した場合には、録画関係ユニット部に電源を供給したままでは、電力が無駄に消費されるため、録画関係ユニット部への電力供給も遮断することで、電力を無駄に消費することを防止することができる。
【０１００】
さらに、請求項４によれば、録画予約のあるときは、電源オフ操作を指示しても、部分的に電源を供給しているが、これをユーザに知らせないと、誤ってＡＣ商用電力供給用のコンセントを抜いてしまうことが考えられ、これを、表示画面上の電源供給状態の情報として表示することにより防止することができる。
【０１０１】
さらに、請求項５によれば、情報機器側で録画予約を行った際に、画面表示の電源を即座に切断し、低消費電力状態へと移行できると使い勝手が便利である場合がある。
【０１０２】
また、請求項６によれば、予約録画の録画設定情報を、情報機器側で設定すると、これが表示装置側に送信されるため、表示装置側にて録画設定情報を検出したときに、録画関係ユニット部への電源供給を続行することができ、予約待機しているときの表示装置の消費電力を、画面表示に供給する電力を削減した分だけ軽減することができると共に、予約設定した録画を確実に実行することができる。
【図面の簡単な説明】
【図１】本発明の一実施形態における録画再生システムの外観構成を示す斜視図である。
【図２】図１のコンピュータ表示端末装置の断面図である。
【図３】図１の録画再生システムの要部ハード構成を示すブロック図である。
【図４】図１のモニタ装置の動作を詳細に示すフローチャートである。
【図５】画面表示電源状態の選択表示画面図である。
【図６】ＯＳＤ警告時の表示画面図である。
【図７】図１のＰＣの動作を詳細に示すフローチャートである。
【符号の説明】
１０    録画再生システム
２０    コンピュータ本体（ＰＣ）
２１    ＵＳＢＩ／Ｆ
２２    表示ＲＧＢＩ／Ｆ
２３    ＨＤＤ
３０    モニタ装置
３１    液晶表示パネル
３２    モニタ制御装置
３２０    ＵＳＢＩ／Ｆ
３２１    Ａ／Ｄ変換装置
３２２    グラフィックコントローラ
３２３    ＬＣＤドライバ
３２５    ＴＶチューナ
３２６    ビデオデコーダ
３２７    ＭＰＥＧ２エンコーダ
３２８    電源制御装置
３２９    電源状態変更指示装置
３３０    制御手段
３３０Ａ    選局制御手段
３３０Ｂ    データ通信手段
３３０Ｃ    電源供給管理手段
３３０Ｄ    情報表示制御手段
３３１    メモリ
３３    操作パネル
３５    入力装置
【図１】
0004632223.tif 000002
【図２】
0004632223.tif 000003
【図３】
0004632223.tif 000004
【図４】
0004632223.tif 000005
【図５】
0004632223.tif 000006
【図６】
0004632223.tif 000007
【図７】
0004632223.tif 000008